(57)【要約】【課題】ＬＥＤの経時変化による色度の変化を抑制する。【解決手段】液晶表示パネルは、画像を表示する表示画面を含む液晶表示部と、液晶表示部を背面から照明するバックライト部とを備え、バックライト部は、それぞれ白色光を発光する第１及び第２白色発光ダイオードと、第１及び第２白色発光ダイオードにそれぞれ電流を供給する第１及び第２駆動部と、を含み、第１及び第２駆動部は、それぞれ第１及び第２白色発光ダイオードへの供給電流が調整可能に構成され、第１白色発光ダイオードの色度と第２白色発光ダイオードの色度とは、ｘｙ色度図上で黒体放射軌跡を挟んで互いに反対側に位置する関係にあり、第１白色発光ダイオードと第２白色発光ダイオードとは、ｘｙ色度図上で、黒体放射軌跡と、第１白色発光ダイオードの色度と第２白色発光ダイオードの色度とを通る線との交点が一定となるように経時変化する。【選択図】図１
2013125845.tif 000002
【特許請求の範囲】
【請求項１】
画像を表示する表示画面を含む液晶表示部と、
前記液晶表示部を背面から照明するバックライト部と、
を備え、
前記バックライト部は、
それぞれ白色光を発光する第１白色発光ダイオード及び第２白色発光ダイオードと、
前記第１白色発光ダイオードに電流を供給する第１駆動部と、
前記第２白色発光ダイオードに電流を供給する第２駆動部と、
を含み、
前記第１駆動部は、前記第１白色発光ダイオードへの供給電流が調整可能に構成され、
前記第２駆動部は、前記第２白色発光ダイオードへの供給電流が調整可能に構成され、
前記第１白色発光ダイオードの色度と前記第２白色発光ダイオードの色度とは、ｘｙ色度図上で黒体放射軌跡を挟んで互いに反対側に位置する関係にあり、
前記第１白色発光ダイオードと前記第２白色発光ダイオードとは、前記ｘｙ色度図上で、前記黒体放射軌跡と、前記第１白色発光ダイオードの色度と前記第２白色発光ダイオードの色度とを通る線との交点が一定となるように、経時変化することを特徴とする液晶表示パネル。
【請求項２】
前記バックライト部からの発光の色度が一定になるように、前記第１駆動部は前記第１白色発光ダイオードへの供給電流を調整し、前記第２駆動部は前記第２白色発光ダイオードへの供給電流を調整することを特徴とする請求項１記載の液晶表示パネル。
【請求項３】
前記第１白色発光ダイオードおよび前記第２白色発光ダイオードは、前記ｘｙ色度図上で前記第１白色発光ダイオードの色度と前記第２白色発光ダイオードの色度とを通る線上を各々の色度が移動するように、経時変化することを特徴とする請求項１または２記載の液晶表示パネル。
【請求項４】
前記第１白色発光ダイオード及び前記第２白色発光ダイオードは、それぞれ、
所定波長の光を発光する発光ダイオードチップと、
前記発光ダイオードチップから発光された光の一部を吸収して、前記所定波長と異なる波長の光を発光する蛍光体と、
を含み、
前記第１白色発光ダイオード及び前記第２白色発光ダイオードの各々の前記発光ダイオードチップを形成する材料及び前記発光ダイオードチップを形成する前記材料の組成は、互いに同一であり、
前記第１白色発光ダイオード及び前記第２白色発光ダイオードの各々の前記蛍光体を形成する材料及び前記蛍光体を形成する前記材料の組成は、互いに同一であることを特徴とする請求項３記載の液晶表示パネル。
【請求項５】
前記液晶表示部の前記表示画面の背面側に配置され、入射光を前記表示画面に導く導光板をさらに備え、
前記第１白色発光ダイオード及び前記第２白色発光ダイオードは、前記導光板の少なくとも一つの端部に沿って交互に配置され、前記端部に向けて前記白色光を発光することを特徴とする請求項１ないし４のいずれか１項に記載の液晶表示パネル。
【請求項６】
前記液晶表示部の前記表示画面の背面側に配置され、入射光を前記表示画面に導く導光板をさらに備え、
前記第１白色発光ダイオード及び前記第２白色発光ダイオードは、前記導光板の前記表示画面と反対側に前記導光板に対向して交互に配置され、前記導光板に向けて前記白色光を発光することを特徴とする請求項１ないし４のいずれか１項に記載の液晶表示パネル。
【請求項７】
請求項１ないし６のいずれか１項に記載の液晶表示パネルと、
入力画像信号に基づき前記液晶表示パネルの前記液晶表示部を制御する制御回路と、
を備えることを特徴とする液晶表示装置。
【発明の詳細な説明】
【技術分野】
【０００１】
本発明は、液晶表示部に映像を表示する液晶表示パネル及び該液晶表示パネルを備える液晶表示装置に関するものである。
【背景技術】
【０００２】
光変調素子として液晶を用いた液晶表示部を有する液晶表示パネルは、液晶表示部を背面から照明するバックライト部を備え、そのバックライト部からの照明光の透過率を液晶表示部の各液晶によって変更することで、任意の画像の表示を実現している。
【０００３】
このようなバックライト部として、発光ダイオード（ＬＥＤ）を光源として用いた液晶モジュールが広く普及しつつある。現在、バックライト部に用いられるＬＥＤは、白色光を発光するものが使用される場合が多い。白色ＬＥＤは、ＧａＮをベースにする青色ＬＥＤチップに、イットリウム・アルミニウム・ガーネット（ＹＡＧ）等の蛍光体を塗布し、青色と黄色とを合成して白色光を得るのが多い。また、近年、新たな蛍光体を用いたり、ＹＡＧ蛍光体に赤色や緑色を強く発光させる蛍光体を混合したりして、発光効率や色再現性が改善されつつある。例えば特許文献１では、高い演色性を維持し、色温度を変化可能な発光装置が提案されている。
【０００４】
ＬＥＤは長寿命であるが、数万時間を経過すると、その発光輝度が数１０％程度低下する。テレビジョンや携帯電話等の民生機器においては、輝度が低下しても、輝度の補正をすることなくそのまま使用している。しかし、医療用機器や放送用機器においては、輝度低下は容認されない。そこで、通常は、一定使用期間毎にＬＥＤへの供給電流を上昇させる等により輝度を一定に保っている。一般に、ＬＥＤには、供給可能な電流の上限値（許容電流）が存在する。したがって、例えば、使用開始当初は許容電流の１／２の電流値で点灯し、発光輝度の低下に応じて供給電流を上昇させる方法が採用される。あるいは、使用開始当初は許容電流を点灯デューティ比５０％で供給し、発光輝度の低下に応じて点灯デューティ比を上昇させる方法が採用される。
【先行技術文献】
【特許文献】
【０００５】
【特許文献１】特開２００８−２１８４８５号公報
【発明の概要】
【発明が解決しようとする課題】
【０００６】
ＬＥＤの輝度については、上述のようにＬＥＤへの供給電流の増大や点灯デューティ比の増大により、階調性を劣化させることなく一定に保持することが可能である。一方、ＬＥＤは、輝度と同様に、経時変化により色度が変化する場合がある。輝度の場合と同様に、テレビジョンや携帯電話等の民生機器においては、色度が変化しても、色補正をすることなくそのまま使用している場合が多い。しかし、医療用機器や放送用機器等においては、輝度と同様に、色度変化、特に白色の色度点の変化は容認されないため、色度の変化を抑制することが必要になる。しかしながら、上記特許文献１には、ＬＥＤの経時変化による色度の変化を抑制することについては一切記載されていない。
【０００７】
本発明は、上述した課題を解決するためになされたもので、ＬＥＤの経時変化による色度の変化を抑制することができる液晶表示パネル及び液晶表示装置を提供することを目的とする。
【課題を解決するための手段】
【０００８】
本発明の一局面に係る液晶表示パネルは、画像を表示する表示画面を含む液晶表示部と、前記液晶表示部を背面から照明するバックライト部と、を備え、前記バックライト部は、それぞれ白色光を発光する第１白色発光ダイオード及び第２白色発光ダイオードと、前記第１白色発光ダイオードに電流を供給する第１駆動部と、前記第２白色発光ダイオードに電流を供給する第２駆動部と、を含み、前記第１駆動部は、前記第１白色発光ダイオードへの供給電流が調整可能に構成され、前記第２駆動部は、前記第２白色発光ダイオードへの供給電流が調整可能に構成され、前記第１白色発光ダイオードの色度と前記第２白色発光ダイオードの色度とは、ｘｙ色度図上で黒体放射軌跡を挟んで互いに反対側に位置する関係にあり、前記第１白色発光ダイオードと前記第２白色発光ダイオードとは、前記ｘｙ色度図上で、前記黒体放射軌跡と、前記第１白色発光ダイオードの色度と前記第２白色発光ダイオードの色度とを通る線との交点が一定となるように、経時変化する。
【０００９】
この構成によれば、液晶表示部は、画像を表示する表示画面を含む。バックライト部は、液晶表示部を背面から照明する。第１白色発光ダイオード及び第２白色発光ダイオードは、それぞれ白色光を発光する。第１駆動部は、第１白色発光ダイオードに電流を供給する。第２駆動部は、第２白色発光ダイオードに電流を供給する。第１駆動部は、第１白色発光ダイオードへの供給電流が調整可能に構成されている。第２駆動部は、第２白色発光ダイオードへの供給電流が調整可能に構成されている。第１白色発光ダイオードの色度と第２白色発光ダイオードの色度とは、ｘｙ色度図上で黒体放射軌跡を挟んで互いに反対側に位置する関係にある。したがって、第１駆動部から第１白色発光ダイオードへの供給電流を調整し、第２駆動部から第２白色発光ダイオードへの供給電流を調整することにより、第１白色発光ダイオードの色度と第２白色発光ダイオードの色度との合成色度をｘｙ色度図上で黒体放射軌跡に一致させることが可能になっている。
【００１０】
また、第１白色発光ダイオードと第２白色発光ダイオードとは、ｘｙ色度図上で、黒体放射軌跡と、第１白色発光ダイオードの色度と第２白色発光ダイオードの色度とを通る線との交点が一定となるように経時変化する。したがって、第１及び第２白色発光ダイオードが経時変化しても、上記交点が一定となっているため、第１駆動部から第１白色発光ダイオードへの供給電流を調整し、第２駆動部から第２白色発光ダイオードへの供給電流を調整することにより、第１白色発光ダイオードの色度と第２白色発光ダイオードの色度との合成色度を上記交点に一致させることが可能になっている。その結果、経時変化により第１及び第２白色発光ダイオードの各色度がｘｙ色度図上を移動したとしても、バックライト部からの光の合成色度が変化するのを防止することができる。
【００１１】
また、上記の液晶表示パネルにおいて、前記バックライト部からの発光の色度が一定になるように、前記第１駆動部は前記第１白色発光ダイオードへの供給電流を調整し、前記第２駆動部は前記第２白色発光ダイオードへの供給電流を調整することが好ましい。
【００１２】
この構成によれば、バックライト部からの発光の色度が一定になるように、第１駆動部は第１白色発光ダイオードへの供給電流を調整し、第２駆動部は第２白色発光ダイオードへの供給電流を調整する。したがって、バックライト部からの発光の色度が変化するのを確実に防止することができる。
【００１３】
また、上記の液晶表示パネルにおいて、前記第１白色発光ダイオードおよび前記第２白色発光ダイオードは、前記ｘｙ色度図上で前記第１白色発光ダイオードの色度と前記第２白色発光ダイオードの色度とを通る線上を各々の色度が移動するように、経時変化することが好ましい。
【００１４】
この構成によれば、第１白色発光ダイオードおよび第２白色発光ダイオードは、ｘｙ色度図上で第１白色発光ダイオードの色度と第２白色発光ダイオードの色度とを通る線上を各々の色度が移動するように、経時変化する。したがって、第１白色発光ダイオードの色度と第２白色発光ダイオードの色度とを通る線と、黒体放射軌跡との交点は、第１白色発光ダイオードおよび第２白色発光ダイオードが経時変化しても、ｘｙ色度図上で、一定になる。その結果、第１及び第２白色発光ダイオードが経時変化しても、第１駆動部から第１白色発光ダイオードへの供給電流を調整し、第２駆動部から第２白色発光ダイオードへの供給電流を調整することにより、第１白色発光ダイオードの色度と第２白色発光ダイオードの色度との合成色度をｘｙ色度図上で黒体放射軌跡の一定の交点に一致させることが可能になっている。その結果、経時変化により第１及び第２白色発光ダイオードの各色度がｘｙ色度図上を移動したとしても、バックライト部からの光の合成色度が変化するのを防止することができる。
【００１５】
また、上記の液晶表示パネルにおいて、前記第１白色発光ダイオード及び前記第２白色発光ダイオードは、それぞれ、所定波長の光を発光する発光ダイオードチップと、前記発光ダイオードチップから発光された光の一部を吸収して、前記所定波長と異なる波長の光を発光する蛍光体と、を含み、前記第１白色発光ダイオード及び前記第２白色発光ダイオードの各々の前記発光ダイオードチップを形成する材料及び前記発光ダイオードチップを形成する前記材料の組成は、互いに同一であり、前記第１白色発光ダイオード及び前記第２白色発光ダイオードの各々の前記蛍光体を形成する材料及び前記蛍光体を形成する前記材料の組成は、互いに同一であることが好ましい。
【００１６】
この構成によれば、第１白色発光ダイオード及び第２白色発光ダイオードは、それぞれ、発光ダイオードチップと、蛍光体と、を含む。発光ダイオードチップは、所定波長の光を発光する。蛍光体は、発光ダイオードチップから発光された光の一部を吸収して、所定波長と異なる波長の光を発光する。第１白色発光ダイオード及び第２白色発光ダイオードの各々の発光ダイオードチップを形成する材料及び発光ダイオードチップを形成する材料の組成は、互いに同一である。したがって、発光ダイオードチップの経時変化による、発光ダイオードチップから発光される光の波長の変化は、第１白色発光ダイオードと第２白色発光ダイオードとで、互いに同一になる。また、第１白色発光ダイオード及び第２白色発光ダイオードの各々の蛍光体を形成する材料及び蛍光体を形成する材料の組成は、互いに同一である。したがって、蛍光体の経時変化による、蛍光体から発光される光の波長の変化は、第１白色発光ダイオードと第２白色発光ダイオードとで、互いに同一になる。その結果、第１白色発光ダイオードの色度及び第２白色発光ダイオードの色度は、第１白色発光ダイオード及び第２白色発光ダイオードの各々の経時変化に起因して、ｘｙ色度図上で同一方向に移動することになる。これによって、第１及び第２白色発光ダイオードの経時変化により、第１及び第２白色発光ダイオードの各色度が変化したとしても、液晶表示部を照明する照明光の合成色度が変化するのを確実に防止することができる。
【００１７】
また、上記の液晶表示パネルにおいて、前記液晶表示部の前記表示画面の背面側に配置され、入射光を前記表示画面に導く導光板をさらに備え、前記第１白色発光ダイオード及び前記第２白色発光ダイオードは、前記導光板の少なくとも一つの端部に沿って交互に配置され、前記端部に向けて前記白色光を発光することが好ましい。
【００１８】
この構成によれば、導光板は、液晶表示部の表示画面の背面側に配置され、入射光を表示画面に導く。第１白色発光ダイオード及び第２白色発光ダイオードは、導光板の少なくとも一つの端部に沿って交互に配置され、端部に向けて白色光を発光する。したがって、導光板を介して、第１白色発光ダイオード及び第２白色発光ダイオードから発光される各白色光により表示画面を背面から好適に照明することができる。また、第１白色発光ダイオード及び第２白色発光ダイオードは、導光板の少なくとも一つの端部に沿って交互に配置されているため、第１白色発光ダイオード及び第２白色発光ダイオードの各白色光の色度の相違が目立つことはないという利点がある。
【００１９】
また、上記の液晶表示パネルにおいて、前記液晶表示部の前記表示画面の背面側に配置され、入射光を前記表示画面に導く導光板をさらに備え、前記第１白色発光ダイオード及び前記第２白色発光ダイオードは、前記導光板の前記表示画面と反対側に前記導光板に対向して交互に配置され、前記導光板に向けて前記白色光を発光することが好ましい。
【００２０】
この構成によれば、導光板は、液晶表示部の表示画面の背面側に配置され、入射光を表示画面に導く。第１白色発光ダイオード及び第２白色発光ダイオードは、導光板の表示画面と反対側に導光板に対向して配置され、導光板に向けて白色光を発光する。したがって、第１白色発光ダイオード及び第２白色発光ダイオードから発光される各白色光により、表示画面を背面から好適に照明することができる。また、第１白色発光ダイオード及び第２白色発光ダイオードは、交互に配置されているため、第１白色発光ダイオード及び第２白色発光ダイオードの各白色光の色度の相違が目立つことはないという利点がある。
【００２１】
本発明の他の局面に係る液晶表示装置は、上記の液晶表示パネルと、入力画像信号に基づき前記液晶表示パネルの前記液晶表示部を制御する制御回路と、を備える。
【００２２】
この構成によれば、上記の液晶表示パネルを備え、制御回路は、入力画像信号に基づき上記の液晶表示パネルの液晶表示部を制御する。上記の液晶表示パネルを備えるため、第１及び第２白色発光ダイオードの経時変化により第１及び第２白色発光ダイオードの各色度が変化したとしても、バックライト部からの光の合成色度が変化するのを抑制することができる。その結果、液晶表示部の表示画面に表示される画像の表示品位が、経時変化により低下するのを抑制することができる。
【発明の効果】
【００２３】
本発明によれば、経時変化により第１及び第２白色発光ダイオードの各色度がｘｙ色度図上を移動したとしても、バックライト部からの光の合成色度が変化するのを防止することができる。
【図面の簡単な説明】
【００２４】
【図１】本発明の一実施形態の液晶表示装置の構成を示すブロック図である。
【図２】液晶表示パネルを示す図であり、（ａ）は側面図、（ｂ）は背面図である。
【図３】第１白色発光ダイオードの構成を示す図である。
【図４】第１及び第２白色ＬＥＤの使用開始当初の色度点及び黒体放射軌跡を示すＣＩＥのｘｙ色度図である。
【図５】図４の第１及び第２白色ＬＥＤの使用開始当初の色度点、経時変化後の色度点及び黒体放射軌跡を示すＣＩＥのｘｙ色度図である。
【図６】第１及び第２白色ＬＥＤの別の例の使用開始当初の色度点及び黒体放射軌跡を示すＣＩＥのｘｙ色度図である。
【図７】図６の第１及び第２白色ＬＥＤの使用開始当初の色度点、経時変化後の色度点及び黒体放射軌跡を示すｘｙ色度図である。
【図８】第１及び第２白色ＬＥＤのさらに別の例の使用開始当初の色度点及び黒体放射軌跡を示すＣＩＥのｘｙ色度図である。
【図９】図８の第１及び第２白色ＬＥＤの使用開始当初の色度点、経時変化後の色度点及び黒体放射軌跡を示すｘｙ色度図である。
【図１０】第１及び第２白色ＬＥＤのさらにまた別の例の使用開始当初の色度点及び黒体放射軌跡を示すＣＩＥのｘｙ色度図である。
【図１１】図１０の第１及び第２白色ＬＥＤの使用開始当初の色度点、経時変化後の色度点及び黒体放射軌跡を示すｘｙ色度図である。
【図１２】直下型方式のバックライト部を有する液晶表示パネルを示す図であり、（ａ）は側面図、（ｂ）は背面図である。
【発明を実施するための形態】
【００２５】
図１は、本発明の一実施形態の液晶表示装置の構成を示すブロック図である。図２は、液晶表示パネルを示す図である。図２（ａ）は側面図であり、図２（ｂ）は背面図である。図３は、第１白色発光ダイオードの構成を示す図である。図１に示されるように、液晶表示装置１は、液晶表示パネル２と、表示制御回路３とを備える。
【００２６】
液晶表示パネル２は、液晶表示部１１、バックライト部１２、光学シート１３及び導光板１４を含む。液晶表示部１１は、表示画面１５に入力画像信号に基づく画像を表示する。液晶表示部１１は、図示を省略する、複数のゲート信号線、複数のソース信号線、複数の画素、ゲート信号線を駆動するゲート駆動部及びソース信号線を駆動するソース駆動部を備える。複数のゲート信号線は、それぞれ横方向（主走査方向）に延びており、縦方向（副走査方向）に並んで設けられている。複数のソース信号線は、それぞれ縦方向（副走査方向）に延びており、横方向（主走査方向）に並んで設けられている。複数のゲート信号線及び複数のソース信号線の交点に、マトリクス状に複数の画素が配置されている。
【００２７】
バックライト部１２は、第１白色発光ダイオード（以下「第１白色ＬＥＤ」という）２１、第２白色発光ダイオード（以下「第２白色ＬＥＤ」という）２２、第１駆動回路２３、第２駆動回路２４及び駆動信号生成回路２５を含む。光学シート１３は、液晶表示部１１の背面側に配置されている。導光板１４は、光学シート１３のさらに背面側に配置されている。第１白色ＬＥＤ２１及び第２白色ＬＥＤ２２は、図２（ｂ）に示されるように、導光板１４の図２（ｂ）中、上端及び下端に沿って、交互に配置されている。第１白色ＬＥＤ２１及び第２白色ＬＥＤ２２から出射された光は、導光板１４により拡散されつつ光学シート１３に導かれ、光学シート１３によりさらに拡散されつつ、液晶表示部１１を背面から照明する。バックライト部１２についてはさらに後述する。
【００２８】
表示制御回路３は、入力画像信号に基づき、上記ゲート駆動部及びソース駆動部を制御して、液晶表示部１１のマトリクス状に配置された画素に対して１フレームごとに画像データを１回書き込む。ゲート駆動部は、走査電圧を印加してゲート信号線を上から下に向かって順番に選択する。ソース駆動部は、ゲート駆動部により選択されているゲート信号線に対応する各画素に、ソース信号線を介して画像データに対応する電圧を印加する。これによって、各画素の液晶層に画像データに対応する電圧が印加されて、各画素の透過率が制御される。ゲート駆動部によりゲート信号線の選択が上から下まで完了することによって、入力画像信号に基づき画像データが１回全画素に対して書き込まれる。全画素に対する画像データの書込みによって、１フレームの画像が生成される。液晶表示部１１は、その書き込まれた画像データを次の画像データの書込みまで１フレーム期間、保持するホールド型の表示部である。
【００２９】
表示制御回路３により、１フレームの画像生成が所定のフレーム周波数で繰り返されることによって、液晶表示部１１に表示される画像が視聴者によって視認される。なお、液晶表示部１１としては、ＩＰＳ（In Plane Switching）方式、ＶＡ（Vertical Alignment）方式、その他のいずれの方式を適用してもよい。
【００３０】
バックライト部１２を構成する各要素が図１及び図３を用いて説明される。第１白色ＬＥＤ２１は、ＬＥＤチップ３１と蛍光体３２とを含む。ＬＥＤチップ３１は、例えばＧａＮ系により形成され、近紫外光を発光する。蛍光体３２は、所定の材料及び組成を有する赤色蛍光体、緑色蛍光体および青色蛍光体を含む。蛍光体３２は、ＬＥＤチップ３１から出射される近紫外光の一部を吸収して、３色の可視光を出射する。ＬＥＤチップ３１から出射される近紫外光により励起された蛍光体３２から出射される３色の可視光によって、第１白色ＬＥＤ２１は、白色光を出射する。
【００３１】
第２白色ＬＥＤ２２は、第１白色ＬＥＤ２１と全く同じ構造を有し、ＬＥＤチップ４１と蛍光体４２とを含む。ＬＥＤチップ４１は、ＬＥＤチップ３１を形成する材料と全く同じ材料で形成されている。また、ＬＥＤチップ４１を形成する材料の組成は、ＬＥＤチップ３１を形成する材料の組成と全く同じにされている。したがって、ＬＥＤチップ４１から出射される近紫外光により励起された蛍光体４２から出射される３色の可視光によって、第２白色ＬＥＤ２２は、白色光を出射する。
【００３２】
第１駆動回路２３は、ＬＥＤチップ３１に電流を供給して、ＬＥＤチップ３１を発光させる。第２駆動回路２４は、ＬＥＤチップ４１に電流を供給して、ＬＥＤチップ４１を発光させる。駆動信号生成回路２５は、表示制御回路３からの制御信号に基づき、第１駆動回路２３及び第２駆動回路２４に駆動信号を供給する。第１駆動回路２３及び第２駆動回路２４は、それぞれ、駆動信号生成回路２５から供給される駆動信号に応じた電流を、ＬＥＤチップ３１及びＬＥＤチップ４１に供給する。駆動信号生成回路２５は、第１駆動回路２３及び第２駆動回路２４に個別に駆動信号を供給可能に構成されている。この構成によって、第１駆動回路２３及び第２駆動回路２４は、それぞれ異なる電流値の電流をＬＥＤチップ３１及びＬＥＤチップ４１に供給することが可能に構成されている。
【００３３】
図４は、第１及び第２白色ＬＥＤ２１，２２の使用開始当初の色度点及び黒体放射軌跡を示すＣＩＥ（国際照明委員会）のｘｙ色度図である。図４に示されるように、使用開始当初の第１白色ＬＥＤ２１の色度点（色度座標とも称される）Ｉ２１と、使用開始当初の第２白色ＬＥＤ２２の色度点Ｉ２２とは、ｘｙ色度図上において、黒体放射軌跡ＢＴを挟んで互いに反対側に位置する関係にある。さらに、第１白色ＬＥＤ２１の色度点Ｉ２１と第２白色ＬＥＤ２２の色度点Ｉ２２とを通る直線５１（図４中、破線）は、第１及び第２白色ＬＥＤ２１，２２の色度点Ｉ２１，Ｉ２２が経時変化により移動する移動方向５２と平行になっている。
【００３４】
一般的に、同じ材料を用いて、その材料の組成が同じＬＥＤを製造した場合、ＬＥＤチップから出射される光の波長及び蛍光体の膜厚によって、色度点の異なる広い分布のＬＥＤが製造される。したがって、ｘｙ色度図上において、黒体放射軌跡ＢＴを挟んで互いに反対側に位置する関係にある色度点を有する２種類の白色ＬＥＤを比較的容易に入手することができる。また、同じ材料を用いて、その材料の組成が同じとなるように製造されたＬＥＤの色度点は、使用開始当初の色度点が異なっていても、経時変化によりｘｙ色度図上で同じ方向に移動する特性を示すことが知られている。
【００３５】
この実施形態の第１白色ＬＥＤ２１及び第２白色ＬＥＤ２２は、ｘｙ色度図上で、それぞれ使用開始当初の第１白色ＬＥＤ２１の色度点Ｉ２１と第２白色ＬＥＤ２２の色度点Ｉ２２とを通る直線５１上を各々の色度点が移動するように経時変化するものが、採用されている。本実施形態において、表示制御回路３は、制御回路の一例に対応し、第１駆動回路２３は、第１駆動部の一例に対応し、第２駆動回路２４は、第２駆動部の一例に対応する。
【００３６】
図５は、図４の第１及び第２白色ＬＥＤ２１，２２の使用開始当初の色度点、経時変化後の色度点及び黒体放射軌跡を示すＣＩＥのｘｙ色度図である。図４及び図５を用いて、この実施形態におけるバックライト部１２からの照明光の色度の補正手法が説明される。
【００３７】
図４において、この液晶表示装置１の使用開始当初は、第１駆動回路２３からＬＥＤチップ３１に例えば５０ｍＡの電流が供給され、第２駆動回路２４からＬＥＤチップ４１に１５０ｍＡの電流が供給される。これによって、第１白色ＬＥＤ２１及び第２白色ＬＥＤ２２の合成色度として、黒体放射軌跡ＢＴ上の合成色度Ｗｃ１が得られている。すなわち、バックライト部１２は、合成色度Ｗｃ１の光で液晶表示部１１を背面から照明する。
【００３８】
液晶表示装置１の使用開始から時間が経過して、第１及び第２白色ＬＥＤ２１，２２の蛍光体３２，４２のうちの赤色蛍光体が劣化することにより、第１及び第２白色ＬＥＤ２１，２２の色度点Ｉ２１，Ｉ２２が、それぞれｘｙ色度図上で移動方向５２に移動して、色度点Ｄ２１，Ｄ２２になったとする。すなわち、第１白色ＬＥＤ２１の色度点は、色度点Ｉ２１から色度点Ｄ２１に変化して、移動方向５２において黒体放射軌跡ＢＴから離れる。一方、第２白色ＬＥＤ２２の色度点は、色度点Ｉ２２から色度点Ｄ２２に変化して、移動方向５２において黒体放射軌跡ＢＴに近づく。但し、劣化後の第１白色ＬＥＤ２１の色度点Ｄ２１と、劣化後の第２白色ＬＥＤ２２の色度点Ｄ２２とは、やはり、ｘｙ色度図上において、黒体放射軌跡ＢＴを挟んで互いに反対側に位置する関係にある。
【００３９】
この場合には、第１駆動回路２３からＬＥＤチップ３１に供給する電流が増大し、第２駆動回路２４からＬＥＤチップ４１に供給する電流が減少するように、駆動信号生成回路２５から第１駆動回路２３及び第２駆動回路２４に供給する各駆動信号を変更する。そして、第１駆動回路２３からＬＥＤチップ３１に例えば１２０ｍＡの電流が供給され、第２駆動回路２４からＬＥＤチップ４１に１００ｍＡの電流が供給される。これによって、第１白色ＬＥＤ２１及び第２白色ＬＥＤ２２の合成色度として、黒体放射軌跡ＢＴ上の合成色度Ｗｃ１、つまり使用開始当初と同じ合成色度が得られる。言い換えると、第１白色ＬＥＤ２１及び第２白色ＬＥＤ２２は、第１白色ＬＥＤ２１の色度点Ｉ２１と第２白色ＬＥＤ２２の色度点Ｉ２２とを通る直線５１上を各々の色度が移動するように、経時変化する。その結果、第１及び第２白色ＬＥＤ２１，２２が劣化した場合でも、劣化後の第１白色ＬＥＤ２１の色度点Ｄ２１と第２白色ＬＥＤ２２の色度点Ｄ２２とを通る直線と、黒体放射軌跡ＢＴとの交点は、一定（Ｗｃ１）となる。
【００４０】
以上説明されたように、この実施形態では、第２白色ＬＥＤ２２のＬＥＤチップ４１は、第１白色ＬＥＤ２１のＬＥＤチップ３１を形成する材料と全く同じ材料で形成されている。また、ＬＥＤチップ４１を形成する材料の組成は、ＬＥＤチップ３１を形成する材料の組成と全く同じになっている。さらに、第２白色ＬＥＤ２２の蛍光体４２は、第１白色ＬＥＤ２１の蛍光体４１を形成する材料と全く同じ材料で形成されている。また、蛍光体４２を形成する材料の組成は、蛍光体４１を形成する材料の組成と全く同じになっている。したがって、経時変化によって、第１白色ＬＥＤ２１から出射される白色光の色度点と、第２白色ＬＥＤ２２から出射される白色光の色度点とは、ｘｙ色度図上において同一方向に移動する。
【００４１】
さらに、この実施形態では、使用開始当初における第１白色ＬＥＤ２１から出射される白色光の色度点と、第２白色ＬＥＤ２２から出射される白色光の色度点とは、ｘｙ色度図上において、黒体放射軌跡ＢＴを挟んで互いに反対側に位置する関係になっている。また、第１白色ＬＥＤ２１のＬＥＤチップ３１に電流を供給する第１駆動回路２３及び第２白色ＬＥＤ２２のＬＥＤチップ４１に電流を供給する第２駆動回路２４は、それぞれ、個別に供給電流を変更可能に構成されている。
【００４２】
したがって、この実施形態によれば、第１白色ＬＥＤ２１から出射される白色光の色度点と、第２白色ＬＥＤ２２から出射される白色光の色度点とが、第１白色ＬＥＤ２１及び第２白色ＬＥＤ２２の経時変化によって変化しても、第１駆動回路２３及び第２駆動回路２４から供給する電流をそれぞれ調整することにより、使用開始当初の合成色度を維持することができる。したがって、この液晶表示装置１は、医療用機器や放送用機器に好適に用いることができる。
【００４３】
また、この実施形態では、図２に示されるように、第１白色ＬＥＤ２１及び第２白色ＬＥＤ２２を導光板１４の端部に沿って交互に配置している。したがって、第１白色ＬＥＤ２１の色度点Ｉ２１及び第２白色ＬＥＤ２２の色度点Ｉ２２の相違による色むらが目立たないという利点がある。
【００４４】
なお、上記実施形態では、第１及び第２白色ＬＥＤ２１，２２の蛍光体３２，４２のうちの赤色蛍光体が劣化した例について説明したが、これに限られない。本発明は、例えば緑色蛍光体が劣化した場合にも、適用することができる。
【００４５】
図６は、第１及び第２白色ＬＥＤ２１，２２の別の例の使用開始当初の色度点を示すＣＩＥのｘｙ色度図である。図７は、図６の第１及び第２白色ＬＥＤ２１，２２の使用開始当初の色度点、経時変化後の色度点及び黒体放射軌跡を示すｘｙ色度図である。図６及び図７を用いて、この変形形態における色度点の補正手法が説明される。
【００４６】
図６に示されるように、使用開始当初の第１白色ＬＥＤ２１の色度点Ｉｎ２１と、使用開始当初の第２白色ＬＥＤ２２の色度点Ｉｎ２２とは、図４の場合と同様に、ｘｙ色度図上において、黒体放射軌跡ＢＴを挟んで互いに反対側に位置する関係にある。さらに、第１白色ＬＥＤ２１の色度点Ｉｎ２１と第２白色ＬＥＤ２２の色度点Ｉｎ２２とを通る直線５３（図６中、破線）は、第１及び第２白色ＬＥＤ２１，２２の色度点Ｉｎ２１，Ｉｎ２２の経時変化によるｘｙ色度図上における移動方向５４と平行になっている。
【００４７】
図６において、使用開始当初は、第１駆動回路２３からＬＥＤチップ３１に例えば１５０ｍＡの電流が供給され、第２駆動回路２４からＬＥＤチップ４１に５０ｍＡの電流が供給される。これによって、第１白色ＬＥＤ２１及び第２白色ＬＥＤ２２の合成色度として、黒体放射軌跡ＢＴ上の合成色度Ｗｃ２が得られている。
【００４８】
図７に示されるように、使用開始から時間が経過して、第１白色ＬＥＤ２１の蛍光体３２及び第２白色ＬＥＤ２２の蛍光体４２のうちの緑色蛍光体が劣化することにより、第１白色ＬＥＤ２１の色度点Ｉｎ２１及び第２白色ＬＥＤ２２の色度点Ｉｎ２２が、それぞれ移動方向５４に変化して、色度点Ｄｔ２１及び色度点Ｄｔ２２になったとする。すなわち、第１白色ＬＥＤ２１の色度点は、色度点Ｉｎ２１から色度点Ｄｔ２１に変化して、移動方向５４において黒体放射軌跡ＢＴに近づく。一方、第２白色ＬＥＤ２２の色度点は、色度点Ｉｎ２２から色度点Ｄｔ２２に変化して、移動方向５４において黒体放射軌跡ＢＴから離れる。但し、劣化後の第１白色ＬＥＤ２１の色度点Ｄｔ２１と、劣化後の第２白色ＬＥＤ２２の色度点Ｄｔ２２とは、やはり、ｘｙ色度図上において、黒体放射軌跡ＢＴを挟んで互いに反対側に位置する関係にある。
【００４９】
この場合には、第１駆動回路２３から第１白色ＬＥＤ２１のＬＥＤチップ３１に供給する電流が減少し、第２駆動回路２４から第２白色ＬＥＤ２２のＬＥＤチップ４１に供給する電流が増大するように、駆動信号生成回路２５から第１駆動回路２３及び第２駆動回路２４に供給する各駆動信号を変更する。そして、第１駆動回路２３からＬＥＤチップ３１に例えば１００ｍＡの電流が供給され、第２駆動回路２４からＬＥＤチップ４１に１２０ｍＡの電流が供給される。これによって、第１白色ＬＥＤ２１及び第２白色ＬＥＤ２２の合成色度として、黒体放射軌跡ＢＴ上の合成色度Ｗｃ２、つまり使用開始当初と同じ合成色度が得られる。言い換えると、第１白色ＬＥＤ２１及び第２白色ＬＥＤ２２は、第１白色ＬＥＤ２１の色度点Ｉｎ２１と第２白色ＬＥＤ２２の色度点Ｉｎ２２とを通る直線５３上を各々の色度が移動するように、経時変化する。その結果、第１及び第２白色ＬＥＤ２１，２２が劣化した場合でも、劣化後の第１白色ＬＥＤ２１の色度点Ｄｔ２１と第２白色ＬＥＤ２２の色度点Ｄｔ２２とを通る直線と、黒体放射軌跡ＢＴとの交点は、一定（Ｗｃ２）となる。
【００５０】
このように、例えば緑色蛍光体が劣化して、使用開始当初の第１白色ＬＥＤ２１の色度点Ｉｎ２１及び第２白色ＬＥＤ２２の色度点Ｉｎ２２が、経時変化により移動方向５４に変化した場合にも、上記実施形態と同様に、第１駆動回路２３及び第２駆動回路２４から供給する電流をそれぞれ調整することにより、使用開始当初の合成色度を維持することができる。
【００５１】
また、上記実施形態及び図６、図７では、第１及び第２白色ＬＥＤ２１，２２の各色度が同じ向きに劣化する例について説明したが、これに限られない。以下では、第１及び第２白色ＬＥＤ２１，２２の各色度が異なる向きに劣化する例について説明する。なお、この場合には、第１及び第２白色ＬＥＤ２１，２２のＬＥＤチップ３１，４１を形成する材料またはＬＥＤチップ３１，４１を形成する材料の組成は互いに異なるか、あるいは、第１及び第２白色ＬＥＤ２１，２２の蛍光体３２，４２を形成する材料または蛍光体３２，４２を形成する材料の組成は互いに異なる。
【００５２】
図８は、第１及び第２白色ＬＥＤ２１，２２のさらに別の例の使用開始当初の色度点及び黒体放射軌跡を示すＣＩＥのｘｙ色度図である。図９は、図８の第１及び第２白色ＬＥＤ２１，２２の使用開始当初の色度点、経時変化後の色度点及び黒体放射軌跡を示すｘｙ色度図である。図８及び図９を用いて、この変形形態における色度点の補正手法が説明される。
【００５３】
図８に示されるように、使用開始当初の第１白色ＬＥＤ２１の色度点Ｉ２１０と、使用開始当初の第２白色ＬＥＤ２２の色度点Ｉ２２０とは、図４、図６の場合と同様に、ｘｙ色度図上において、黒体放射軌跡ＢＴを挟んで互いに反対側に位置する関係にある。さらに、第１白色ＬＥＤ２１の色度点Ｉ２１０と第２白色ＬＥＤ２２の色度点Ｉ２２０とを通る直線５５（図８中、破線）は、第１及び第２白色ＬＥＤ２１，２２の色度点Ｉ２１０，Ｉ２２０の経時変化によるｘｙ色度図上における移動方向５６ａ，５６ｂと平行になっている。
【００５４】
但し、第１白色ＬＥＤ２１の色度点Ｉ２１０の経時変化によるｘｙ色度図上における移動方向５６ａは、図８において左向きになっており，第２白色ＬＥＤ２２の色度点Ｉ２２０の経時変化によるｘｙ色度図上における移動方向５６ｂは、図８において右向きになっている。つまり、第１及び第２白色ＬＥＤ２１，２２の経時変化により、第１及び第２白色ＬＥＤ２１，２２の色度点Ｉ２１０，Ｉ２２０は、第１白色ＬＥＤ２１の色度点Ｉ２１０と第２白色ＬＥＤ２２の色度点Ｉ２２０とを通る直線５５上を反対向きに移動している。
【００５５】
図８において、使用開始当初は、第１駆動回路２３からＬＥＤチップ３１に例えば５０ｍＡの電流が供給され、第２駆動回路２４からＬＥＤチップ４１に１００ｍＡの電流が供給される。これによって、第１白色ＬＥＤ２１及び第２白色ＬＥＤ２２の合成色度として、黒体放射軌跡ＢＴ上の合成色度Ｗｃ３が得られている。
【００５６】
図９に示されるように、使用開始から時間が経過して、第１白色ＬＥＤ２１の蛍光体３２及び第２白色ＬＥＤ２２の蛍光体４２が劣化することにより、第１白色ＬＥＤ２１の色度点Ｉ２１０が移動方向５６ａに変化して色度点Ｄ２１０になったとし、第２白色ＬＥＤ２２の色度点Ｉ２２０が移動方向５６ｂに変化して色度点Ｄ２２０になったとする。すなわち、第１白色ＬＥＤ２１の色度点は、色度点Ｉ２１０から色度点Ｄ２１０に変化して、移動方向５６ａにおいて黒体放射軌跡ＢＴから離れる。一方、第２白色ＬＥＤ２２の色度点は、色度点Ｉ２２０から色度点Ｄ２２０に変化して、移動方向５６ｂにおいて黒体放射軌跡ＢＴから同様に離れる。但し、劣化後の第１白色ＬＥＤ２１の色度点Ｄ２１０と、劣化後の第２白色ＬＥＤ２２の色度点Ｄ２２０とは、やはり、ｘｙ色度図上において、黒体放射軌跡ＢＴを挟んで互いに反対側に位置する関係にある。
【００５７】
この場合には、第１駆動回路２３から第１白色ＬＥＤ２１のＬＥＤチップ３１に供給する電流、及び第２駆動回路２４から第２白色ＬＥＤ２２のＬＥＤチップ４１に供給する電流が、両方ともに増大するように、駆動信号生成回路２５から第１駆動回路２３及び第２駆動回路２４に供給する各駆動信号を変更する。そして、第１駆動回路２３からＬＥＤチップ３１に例えば１２０ｍＡの電流が供給され、第２駆動回路２４からＬＥＤチップ４１に１５０ｍＡの電流が供給される。これによって、第１白色ＬＥＤ２１及び第２白色ＬＥＤ２２の合成色度として、黒体放射軌跡ＢＴ上の合成色度Ｗｃ３、つまり使用開始当初と同じ合成色度が得られる。言い換えると、第１白色ＬＥＤ２１及び第２白色ＬＥＤ２２は、黒体放射軌跡ＢＴと、第１白色ＬＥＤ２１の色度点Ｉ２１０と第２白色ＬＥＤ２２の色度点Ｉ２２０とを通る直線５５上を各々の色度点が移動するように、経時変化する。
【００５８】
このように、例えば材料または組成が互いに異なる蛍光体が劣化して、使用開始当初の第１白色ＬＥＤ２１の色度点Ｉ２１０及び第２白色ＬＥＤ２２の色度点Ｉ２２０が、経時変化により異なる移動方向５６ａ，５６ｂに変化した場合であっても、第１白色ＬＥＤ２１の色度点Ｉ２１０と第２白色ＬＥＤ２２の色度点Ｉ２２０とを通る直線５５上を各々の色度点が移動するように、第１白色ＬＥＤ２１及び第２白色ＬＥＤ２２が経時変化する場合には、上記実施形態と同様に、第１駆動回路２３及び第２駆動回路２４から供給する電流をそれぞれ調整することにより、使用開始当初の合成色度を維持することができる。
【００５９】
図１０は、第１及び第２白色ＬＥＤ２１，２２のさらにまた別の例の使用開始当初の色度点及び黒体放射軌跡を示すＣＩＥのｘｙ色度図である。図１１は、図１０の第１及び第２白色ＬＥＤ２１，２２の使用開始当初の色度点、経時変化後の色度点及び黒体放射軌跡を示すｘｙ色度図である。図１０及び図１１を用いて、この変形形態における色度点の補正手法が説明される。
【００６０】
図１０に示されるように、使用開始当初の第１白色ＬＥＤ２１の色度点Ｉ２１１と、使用開始当初の第２白色ＬＥＤ２２の色度点Ｉ２２１とは、図４、図６の場合と同様に、ｘｙ色度図上において、黒体放射軌跡ＢＴを挟んで互いに反対側に位置する関係にある。一方、第１白色ＬＥＤ２１の色度点Ｉ２１１と第２白色ＬＥＤ２２の色度点Ｉ２２１とを通る直線５７（図１０中、破線）は、第１及び第２白色ＬＥＤ２１，２２の色度点Ｉ２１１，Ｉ２２１の経時変化によるｘｙ色度図上における移動方向５８ａ，５８ｂと平行になっていない。つまり、第１白色ＬＥＤ２１の色度点Ｉ２１１の経時変化によるｘｙ色度図上における移動方向５８ａは、図１０において上向きになっている。一方，第２白色ＬＥＤ２２の色度点Ｉ２２１の経時変化によるｘｙ色度図上における移動方向５８ｂは、図１０において下向きになっている。
【００６１】
図１０において、使用開始当初は、第１駆動回路２３からＬＥＤチップ３１に例えば５０ｍＡの電流が供給され、第２駆動回路２４からＬＥＤチップ４１に１５０ｍＡの電流が供給される。これによって、第１白色ＬＥＤ２１及び第２白色ＬＥＤ２２の合成色度として、黒体放射軌跡ＢＴ上の合成色度Ｗｃ４が得られている。
【００６２】
図１１に示されるように、使用開始から時間が経過して、第１白色ＬＥＤ２１の蛍光体３２及び第２白色ＬＥＤ２２の蛍光体４２が劣化することにより、第１白色ＬＥＤ２１の色度点Ｉ２１１が移動方向５８ａに変化して色度点Ｄ２１１になったとし、第２白色ＬＥＤ２２の色度点Ｉ２２１が移動方向５８ｂに変化して色度点Ｄ２２１になったとする。すなわち、第１白色ＬＥＤ２１の色度点は、色度点Ｉ２１１から色度点Ｄ２１１に変化して、移動方向５８ａにおいて黒体放射軌跡ＢＴから離れる。一方、第２白色ＬＥＤ２２の色度点は、色度点Ｉ２２１から色度点Ｄ２２１に変化して、移動方向５８ｂにおいて黒体放射軌跡ＢＴから離れる。但し、劣化後の第１白色ＬＥＤ２１の色度点Ｄ２１１と、劣化後の第２白色ＬＥＤ２２の色度点Ｄ２２１とは、やはり、ｘｙ色度図上において、黒体放射軌跡ＢＴを挟んで互いに反対側に位置する関係にある。
【００６３】
この場合には、第１駆動回路２３から第１白色ＬＥＤ２１のＬＥＤチップ３１に供給する電流、及び第２駆動回路２４から第２白色ＬＥＤ２２のＬＥＤチップ４１に供給する電流が、両方ともに増大するように、駆動信号生成回路２５から第１駆動回路２３及び第２駆動回路２４に供給する各駆動信号を変更する。そして、第１駆動回路２３からＬＥＤチップ３１に例えば８０ｍＡの電流が供給され、第２駆動回路２４からＬＥＤチップ４１に２４０ｍＡの電流が供給される。これによって、第１白色ＬＥＤ２１及び第２白色ＬＥＤ２２の合成色度として、黒体放射軌跡ＢＴ上の合成色度Ｗｃ４、つまり使用開始当初と同じ合成色度が得られる。言い換えると、第１白色ＬＥＤ２１及び第２白色ＬＥＤ２２は、黒体放射軌跡ＢＴと、第１白色ＬＥＤ２１の色度点Ｉ２１１と第２白色ＬＥＤ２２の色度点Ｉ２２１とを通る直線５７との交点（つまりＷｃ４）が、ｘｙ色度図上で一定となるように、経時変化する。すなわち、黒体放射軌跡ＢＴと、劣化後の第１白色ＬＥＤ２１の色度点Ｄ２１１と第２白色ＬＥＤ２２の色度点Ｄ２２１とを通る直線５７との交点は、ｘｙ色度図上で一定（Ｗｃ４）となっている。
【００６４】
このように、例えば材料または組成が互いに異なる蛍光体が劣化して、使用開始当初の第１白色ＬＥＤ２１の色度点Ｉ２１１及び第２白色ＬＥＤ２２の色度点Ｉ２２１が、経時変化により異なる移動方向５８ａ，５８ｂに変化した場合にも、黒体放射軌跡ＢＴと、劣化後の第１白色ＬＥＤ２１の色度点Ｄ２１１と第２白色ＬＥＤ２２の色度点Ｄ２２１とを通る直線５７との交点（つまりＷｃ４）が、ｘｙ色度図上で一定である場合には、上記実施形態と同様に、第１駆動回路２３及び第２駆動回路２４から供給する電流をそれぞれ調整することにより、使用開始当初の合成色度を維持することができる。
【００６５】
また、上記実施形態では、図２に示されるように、バックライト部１２をエッジライト方式としているが、これに限られず、直下型方式としてもよい。
【００６６】
図１２は、直下型方式のバックライト部１２ａを有する液晶表示パネルを示す図である。図１２（ａ）は側面図であり、図１２（ｂ）は背面図である。この場合でも、上記実施形態と同様の効果を得ることができる。また、図１２（ａ）、図１２（ｂ）に示されるように、第１白色ＬＥＤ２１及び第２白色ＬＥＤ２２を交互に配置している。この配置によって、上記実施形態と同様に、第１白色ＬＥＤ２１及び第２白色ＬＥＤ２２の各色度点の相違による色むらが目立たないという利点がある。
【００６７】
また、上記実施形態では、第１駆動回路２３及び第２駆動回路２４は、それぞれ、駆動信号生成回路２５から出力される駆動信号に基づき、第１白色ＬＥＤ２１及び第２白色ＬＥＤ２２への供給電流を調整しているが、この構成については、種々の形態を採用することができる。例えば、表示制御回路３が駆動信号生成回路２５を制御して、駆動信号生成回路２５から出力される駆動信号を変更可能に構成してもよい。あるいは、駆動信号生成回路２５を省略して、表示制御回路３が、直接、第１駆動回路２３及び第２駆動回路２４を制御するように構成してもよい。さらに、駆動信号生成回路２５にスイッチまたは可変抵抗などを設けておき、外部からスイッチのオンオフまたは可変抵抗の抵抗値を変更することにより、外部から駆動信号を変更可能に構成してもよい。さらにまた、駆動信号生成回路２５を省略し、第１駆動回路２３及び第２駆動回路２４にスイッチまたは可変抵抗などを設けておき、外部からスイッチのオンオフまたは可変抵抗の抵抗値を変更することにより、外部から直接供給電流を調整可能に構成してもよい。
【産業上の利用可能性】
【００６８】
画像を液晶表示部に表示する液晶表示パネル及び液晶表示装置において、経時変化により第１及び第２白色発光ダイオードの各色度がｘｙ色度図上を移動したとしても、バックライト部から液晶表示部を照明する光の合成色度が変化するのを防止することができる液晶表示パネル及び液晶表示装置として有用である。
【符号の説明】
【００６９】
２  液晶表示パネル
３  表示制御回路
１１  液晶表示部
１２，１２ａ  バックライト部
１４  導光板
１５  表示画面
２１  第１白色ＬＥＤ
２２  第２白色ＬＥＤ
２３  第１駆動回路
２４  第２駆動回路
２５  駆動信号生成回路
３１，４１  ＬＥＤチップ
３２，４２  蛍光体
ＢＴ  黒体放射軌跡
【図１】
2013125845.tif 000003
【図２】
2013125845.tif 000004
【図３】
2013125845.tif 000005
【図４】
2013125845.tif 000006
【図５】
2013125845.tif 000007
【図６】
2013125845.tif 000008
【図７】
2013125845.tif 000009
【図８】
2013125845.tif 000010
【図９】
2013125845.tif 000011
【図１０】
2013125845.tif 000012
【図１１】
2013125845.tif 000013
【図１２】
2013125845.tif 000014